(57)【要約】【課題】単位時間に処理することができる人数を多くするために、個室数の多い移動式のトイレ車両を提供すること。【解決手段】移動式のトイレ車両であって、長手方向に沿って配列した複数の個室を左右両側に設けたトイレ群を、トラックの荷台部若しくは牽引される台車上に設けるとともに、当該荷台部若しくは台車上に前記トイレ群を覆う前壁、後壁、左側壁、右側壁および天井壁からなる箱状の外殻体を設ける。そして、前記左側壁および右側壁は、略中間の高さから上下に２分割されるとともに、それぞれ下方および上方に向かって回動するように構成され、前記下方に回動した下方側壁は、ほぼ水平を成す位置で固定されることで人の歩行通路を形成するとともに、前記上方に回動した上方側壁は、前記歩行通路の上方に張り出した庇として形成されていることを特徴とする。【選択図】図３
0003146726.tif 000002
【実用新案登録請求の範囲】
【請求項１】
長手方向に沿って配列した複数の個室を左右両側に設けたトイレ群を、トラックの荷台部若しくは牽引される台車上に設けるとともに、当該荷台部若しくは台車上に前記トイレ群を覆う前壁、後壁、左側壁、右側壁および天井壁からなる箱状の外殻体を設けた移動式のトイレ車両であって、
前記左側壁および右側壁は、略中間の高さから上下に２分割されるとともに、それぞれ下方および上方に向かって回動するように構成され、
前記下方に回動した下方側壁は、ほぼ水平を成す位置で固定されることで人の歩行通路を形成するとともに、
前記上方に回動した上方側壁は、前記歩行通路の上方に張り出した庇として形成されるようになっていることを特徴とする移動式のトイレ車両。
【請求項２】
前記下方側壁の端縁部に、落下防止用の手すりを設けたことを特徴とする請求項１記載の移動式のトイレ車両。
【請求項３】
前記トイレ群の前方部に送風機を備えた空調機器および発電機を設けるとともに、前記送風機による送風を前記各個室に供給するように構成したことを特徴とする請求項１または２記載の移動式のトイレ車両。
【請求項４】
前記個室に設けた便器には、高圧水による洗浄機能を設けたことを特徴とする請求項１乃至３の何れか１項記載の移動式のトイレ車両。
【考案の詳細な説明】
【技術分野】
【０００１】
本考案は、移動式のトイレ車両に関するものである。
【背景技術】
【０００２】
従来、特許文献１記載の移動式トイレユニットが知られている。当該移動式トイレユニットは、相対的に軽い便室ユニットと相対的に重い濾過槽等を別々の車両にそれぞれ配設したことを特徴とするものである。すなわち、当該移動式トイレユニットは、便室ユニットと濾過槽を異なる２台以上の車両に分けたものであるが、便室ユニットを設けた専用車両を形成しているにも関わらず、一車両あたりに搭載されている便室個数は少ない。したがって、異なる２台以上の車両に分けたにも関わらず、単位時間に利用可能な人数が限られている。
【特許文献１】特開２００１−２０３５２号公報
【考案の開示】
【考案が解決しようとする課題】
【０００３】
本考案は上記の課題に鑑み考案されたものであって、単位時間あたりに利用できる人数を多くするために、個室数を多く形成した移動式のトイレ車両を提供することを課題とするものである。
【課題を解決するための手段】
【０００４】
上記課題を解決するために本願請求項１記載の考案は以下の構成を有する。すなわち、移動式のトイレ車両であって、
長手方向に沿って配列した複数の個室を左右両側に設けたトイレ群を、トラックの荷台部若しくは牽引される台車上に設けるとともに、当該荷台部若しくは台車上に前記トイレ群を覆う前壁、後壁、左側壁、右側壁および天井壁からなる箱状の外殻体を設けた移動式のトイレ車両であって、
前記左側壁および右側壁は、略中間の高さから上下に２分割されるとともに、それぞれ下方および上方に向かって回動するように構成され、
前記下方に回動した下方側壁は、ほぼ水平を成す位置で固定されることで人の歩行通路を形成するとともに、
前記上方に回動した上方側壁は、前記歩行通路の上方に張り出した庇として形成されるようになっていることを特徴とする。
【０００５】
また、本願請求項２記載の考案は以下の構成を有する。すなわち、請求項１記載の移動式のトイレ車両であって、前記下方側壁の端縁部に、落下防止用の手すりを設けたことを特徴とする。
【０００６】
また、本願請求項３記載の考案は以下の構成を有する。すなわち、請求項１または２記載の移動式のトイレ車両であって、前記トイレ群の前方部に送風機を備えた空調機器および発電機を設けるとともに、前記送風機による送風を前記各個室に供給するように構成したことを特徴とする。
【０００７】
また、本願請求項４記載の考案は以下の構成を有する。すなわち、請求項１乃至３の何れか１項記載の移動式のトイレ車両であって、前記個室に設けた便器には、高圧水による洗浄機能を設けたことを特徴とする。
【考案の効果】
【０００８】
本考案に係る移動式のトイレ車両は、左右の側壁をそれぞれ張り出させて通路とすることで、箱体の内部に通路を形成する必要がなく、その収容空間の全てをトイレとして使用する個室と、トイレ機能を維持するための設備用の空間として使用できるものである。したがって、一台の車両に搭載することができる個室の数を従来知られているトイレ車両よりも多く搭載することができるという効果を有している。
また、側壁の上部およびこれと一体的に設けられている天井壁を利用して、通路の上部を覆う庇を構成することができる。これにより、晴天時には日よけとなり、雨天には傘を畳むことができるスペースを提供することにより個室を利用しやすいという効果を有している。
さらに、便器を高圧水により洗浄するので、大量の水を要することなく節水効果が高いという効果を有している。
【考案を実施するための最良の形態】
【０００９】
以下、本考案に係る移動式トイレ車両を実施するための最良の形態について説明する。図１（ａ）は、本考案に係る移動式トイレ車両（以下「車両」という）１の外観図を表している。また、図１（ｂ）は背面から見た車両１の説明図である。
当該車両１は、一例として荷台部に箱形の収容部を形成した２５トントラックとほぼ同型の外形に形成したものである。すなわち、当該車両１は、最前部に運転室２を有し、当該運転室２の後方に箱形の外殻体３を設けたものである。
【００１０】
外殻体３は、前壁４、後壁５、左側壁６、右側壁７および天井壁８からなる細長の箱状体として形成されている。左側壁６は、さらに下側壁６ａと上側壁６ｂに上下２分割されている。
下側壁６ａは、下端縁を回転軸として下方に向かって回動するようになっている。当該下方に回動した下側壁６ａは、別途設けた支持体９によって、略水平に支持されるようになっている。当該支持体９は、下側壁６ａの外側面に回動可能に取り付けられており、先端部を地面に当接させることにより、下側壁６ａを支えるようになっている。当該支持体９によって支持された下側壁６ａは、側方に突出した幅が約１ｍの歩行路として使用されるようになっている。
また、当該側方に突出した下側壁６ａの外周部上面には、歩行者の落下を防止するための手すり１０が装着されるようになっている。
【００１１】
左の上側壁６ｂは、天井壁８の左側部分８ａとともに上方に回動するウイングとして形成されている。当該ウイングを回動させると、上側壁６ｂを前記歩行路として形成した下側壁６ａの上部空間をほぼ覆う庇として機能させることができるようになっている。この庇として機能するウイングは、晴天時には日よけとなり、雨天時には雨よけとなるものである。また、後述する個室トイレの換気を行うために、個室上部を開放して風通しをよくするという効果を有しているものである。
【００１２】
また、車両１の右側面にも、上記左側面と同様の構成が設けられている。すなわち、右側壁７は下側壁７ａと上側壁７ｂに上下２分割されており、下側壁７ａは、下端縁を回転軸として下方に回動するようになっている。
当該下方に回動した下側壁７ａは、当該下側壁７ａの外側面に回動自在に取り付けられた支持体９によって、略水平に支持されるようになっている。当該支持体９によって支持された下側壁７ａは、側方に突出した幅が約１ｍの歩行路として使用されるようになっている。また、側方に突出した下側壁７ａの外周部の上面には、歩行者の落下を防止するための手すり１０が装着されるようになっている。
また、右の上側壁７ｂは、天井壁８の右側部分８ｂとともに上方に回動するウイングとして構成されている。当該ウイングを回動させると、上側壁７ａを前記歩行路として形成された下側壁７ａの上方空間をほぼ覆う庇として機能させることができるようになっている。この庇として機能するウイングは、晴天時には日よけとなり、雨天時には雨よけとなるものである。また、後述する個室トイレの換気を行うために、個室上部を開放して風通しをよくするという効果を有しているものである。
【００１３】
図２（ａ）は、車両１の側面図であって、箱体の内部に設けたトイレ（個室）の配列状態を表した説明図であり、図２（ｂ）は、図２（ａ）に示したＡ―Ａ‘線における断面図を表している。
箱体の内部には、中央の前後方向に亘る部分を境にして左右それぞれに１０個ずつの個室１１（１１ａ〜１１ｊ）、個室１２（１２ａ〜１２ｊ）が設けられている。すなわち、車両１には２０個の個室が設けられている。各個室１１、１２には、それぞれ側面側に向かって開閉するドア１３が設けられている。また、内部には便器１４が装着され、便器１４の下部には排泄物を収容するタンクが設けられている（図示せず）。
【００１４】
また、前記個室１１、１２を設けた個室群の前方部には、発電機１５、送風機能を有した冷暖房空調機１６、水タンク１７、高圧ポンプ１８が設けられている。発電機１５は、前記冷暖房空調機１６の他、箱体内に設けた照明（図示せず）その他の電気的な設備、高圧ポンプ１８等を駆動するための電力源として利用されるものである。
前記冷暖房空調機１６は、前述した各個室１１、１２内に導いた送風ダクト（図示せず）によって、各個室１１、１２内に冷風、温風等の風を送り、室内の環境を快適なものとするために設けたものである。
高圧ポンプ１８は、便器１４内部の排泄物をタンク内に流すことを目的として、流速の早い水流を形成するために設けられたものである。操作バルブは、各個室に用意されており、当該操作バルブの操作によって所定時間、高速の水流を噴射するようになっている。これにより、洗浄効果を高めるとともに使用する水の量を節約するようになっている。
【００１５】
図３は、本考案に係る移動式トイレ車両の使用状態を説明するための説明図である。
前述したように、車両１の左側壁６、右側壁７を水平に張り出させ、支持体９によって支えた後に手すり１０を装着することで、個室１１、１２のドアの前部に人間の歩行を可能とする通路を形成する。そして、当該通路の両端に、それぞれ階段１９を設置することで、地上から左側壁６、右側壁７によって形成した通路に昇った後各個室を利用し、個室の利用が終わった後は再び階段１９を利用して地上に降りるようになっている。
【００１６】
上記の例は、荷台部を一体的に設けたトラックをベースとして移動式トイレ車両を形成したものであるが、これと同様の構成をトレーラーによって牽引される台車上に形成しても構わない。
また、上記の例は一台の車両に２０個の個室を設けたものであるが、車両規模を小さくしたり大きくすることで、適宜個室の個数が調整されるものであることはいうまでもない。
【産業上の利用可能性】
【００１７】
本考案は、災害時や屋外イベント等に利用可能な移動式のトイレ車両に利用可能である。
【図面の簡単な説明】
【００１８】
【図１】本考案に係る移動式トイレ車両の外観図および背面から見た状態の説明図である
【図２】本考案に係る移動式トイレ車両のトイレ用個室の配列状態を表した説明図である。
【図３】本考案に係る移動式トイレ車両の使用状態を説明するための説明図である。
【符号の説明】
【００１９】
１  移動式トイレ車両
２  運転室
３  外殻体
４  前壁後壁
６  左側壁
７  右側壁
８  天井壁
９  支持体
１０  手すり
１１（１１ａ〜１１ｊ）個室
１２（１２ａ〜１２ｊ）個室
１３  ドア便器１４
１５  発電機
１６  冷暖房空調機
１７  水タンク
１８  高圧ポンプ
【図１】
0003146726.tif 000003
【図２】
0003146726.tif 000004
【図３】
0003146726.tif 000005
【手続補正書】
【提出日】平成20年9月16日(2008.9.16)
【手続補正１】
【補正対象書類名】明細書
【補正対象項目名】００１９
【補正方法】変更
【補正の内容】
【００１９】
１  移動式トイレ車両
２  運転室
３  外殻体
４  前壁後壁
６  左側壁
７  右側壁
８  天井壁
９  支持体
１０  手すり
１１（１１ａ〜１１ｊ）個室
１２（１２ａ〜１２ｊ）個室
１３  ドア
１４  便器
１５  発電機
１６  冷暖房空調機
１７  水タンク
１８  高圧ポンプ